(57)【要約】  複数個のバレル（１１，１３）を有する模擬銃に装填された弾丸の弾道調節を的確に行なう。複数個のバレル（１１，１３）を有する模擬銃において、各バレル（１１，１３）の装弾部に装填された弾丸を発射する際に、発射される弾丸の軌道を調節するためのホップ調節装置であって、各装弾部に装填された弾丸に対して圧力を加えることで、各弾丸にそれぞれ回転を付与するための複数個の加圧部材（６１，６２，６３）と、上記加圧部材（６１，６２，６３）の側に一端部を配置し、他端部は操作部（６７，６８，６９）の側に配置して銃本体の側に設けられ、操作部（６７，６８，６９）における操作を加圧部材（６１，６２，６３）に伝達する連繋部材（６４，６５，６６）と、ホップ量を調節するために銃本体の側に設けられた上記操作部（６７，６８，６９）とを具備する。
2016151765.tif 000002
【特許請求の範囲】
【請求項１】
複数個のバレルを有する模擬銃において、各バレルの装弾部に装填された弾丸を発射する際に、発射される弾丸の軌道を調節するためのホップ調節装置であって、各装弾部に装填された弾丸に対して圧力を加えることで、各弾丸にそれぞれ回転を付与するための複数個の加圧部材と、上記加圧部材の側に一端部を配置し、他端部は操作部の側に配置するようにして銃本体の側に設けられ、操作部における操作を加圧部材に伝達する連繋部材と、ホップ量を調節するために銃本体の側に設けられた上記操作部と、を具備して構成された模擬銃におけるホップ調節装置。
【請求項２】
操作部は操作量を微調節可能にする微調節手段を備えており、微調節手段として回転式の操作子に設けられた多重らせん形状の係合部と、連携部材の他端部に設けられた上記係合部と係合可能な係合相手部とから成る構成を備えている請求項１記載の模擬銃におけるホップ調節装置。
【請求項３】
加圧部材は、弾丸に上向きの回転を与えるために少なくとも複数個のバレルの上部にそれぞれ配置されており、装弾部の上部にて弾丸に接触する加圧突部を有して構成されている請求項１又は２記載の模擬銃におけるホップ調節装置。
【請求項４】
連繋部材と操作部は、複数個の加圧部材に対応する複数個を具備し、それぞれが独立して操作及び調節可能に構成されている請求項１ないし３のいずれかに記載の模擬銃におけるホップ調節装置。
【請求項５】
連繋部材は、上下方向へ移動可能に設けられ下部にて加圧部材に接するプッシュ部材と、上記プッシュ部材の上部に一端部にて結合され、他端部は操作部に連絡し、両端部間にて軸支された回転可能なレバーとから成る構成を備えている請求項１ないし４のいずれかに記載の模擬銃におけるホップ調節装置。
【発明の詳細な説明】
【技術分野】
【０００１】  本発明は、複数個のバレルを有する模擬銃において、各バレルの装弾部に装填された弾丸を発射する際に、発射される弾丸の軌道を調節するためのホップ調節装置に関するものである。
【背景技術】
【０００２】  模擬銃にはエアソフトガンがあり、エアソフトガンは一般的に電動ガン、ガスガン、エアコッキングガンに大別される。電動ガンは電気で動くエアソフトガンであり、空気を圧縮するためのピストンを電気で動かすもの、ガスガンはタンクの中に圧縮しておいたガスを勢いよく噴き出してＢＢ弾を飛ばすエアソフトガンで、専用のガスで作動するもの、エアコッキングガンは空気を圧縮するためのピストンを手動で動かすものである。これらのエアソフトガンには、弾道つまりＢＢ弾の軌道を調節可能なホップ調節装置を備えているものがある。【０００３】  エアソフトガンにはＢＢ弾と呼ぶ弾丸を使用するが、ＢＢ弾の重さには０．１２ｇや０．２ｇ、０．２５ｇなどの種類がある。エアソフトガンで重さが違うＢＢ弾を使うときには、ホップの強さ（バックスピンのかかりぐあい）をＢＢ弾の重さに合わせることが理想である。また、一つのエアソフトガンで重さがちがうＢＢ弾を使うときには、ホップの強さ（バックスピンのかかりぐあい）をＢＢ弾の重さに合わせることが望ましい。ＢＢ弾にホップ（＝バックスピン）をかけて発射すると、ＢＢ弾に浮き上がろうとする力が生まれる。ＢＢ弾が重力で  落ちようとする力と、ホップで浮き上がろうとする力がつり合わせることで、何もしないで発射したときよりも、少ないエア量でさらに遠くへ、真直ぐに飛ばせるようになる。これがホップアップシステムと呼ばれている調節装置の概要である。【０００４】  ホップ調節装置の発明には、本件出願人による特開平６−３０９１号があり、同号の発明は球形の弾丸を発射する銃腔の上部に開口を形成し、そこに銃腔内へ突出可能な摩擦部材を配置し、摩擦部材を外部から銃腔内方向へ押す押圧部材を摩擦調節機構とともに設けるという構成を有している。また、特開２００５−１２１３５８号は、武器模型の砲身から出る弾丸の軌道を修正する軌道修正装置として、砲身内の弾丸を保持するための第一ボスを形成する第一ピンと、砲身内の弾丸を保持するための第二ボスを形成する第二ピンとを含み、該第一および第二ピンが、砲身の中心を通る垂直軸の両側に対称に位置づけられるという発明を開示している。これらに見られるように、従来のホップアップシステムはいずれも単一のバレルを有する模擬銃におけるホップ調節を目的としたもので、それ以上のホップアップシステムは知られていない。【０００５】  これに対し、複数個のバレルを有する模擬銃の開発において、複数個のバレルのホップ調節を行なうにはどのようにすれば良いかという問題が生じる。複数個のバレルを有する模擬銃であっても、単なるホップアップシステムを備えたものは従来から公知であるが、ホップの強さを調節することはできないのである。前述のホップ調節装置の発明を複数個のバレルを有する模擬銃に適用することが考えられる。しかし、特許文献１の発明はバレルに嵌装した保持筒を前後に動かして調節する方式であり、ホップ調節のためには複数個の保持筒を動かす機構を開発することが必要である。特許文献２の発明ではホップ調節のために第一、第二の２個のピンが必要であり、複数個のバレルに適用するには機構も調節法も複雑に過ぎるという問題がある。【０００６】
【特許文献１】特開平６−３０９１号
【特許文献２】特開２００５−１２１３５８号
【発明の開示】
【発明が解決しようとする課題】
【０００７】  本発明は前記の点に鑑みてなされたもので、その課題は、複数個のバレルを有する模擬銃において、装弾部に装填された弾丸の弾道調節を容易かつ確実に実施することができるホップ調節装置を提供することである。また、本発明の他の課題は、複数個のバレルを有する模擬銃において、弾丸の種類や気温の相違等の条件下で、最適の弾道を得ることができるようにすることである。
【課題を解決するための手段】
【０００８】  前記の課題を解決するため、本発明は、複数個のバレルを有する模擬銃において、各バレルの装弾部に装填された弾丸を発射する際に、発射される弾丸の軌道を調節するためのホップ調節装置について、各装弾部に装填された弾丸に対して圧力を加えることで、各弾丸にそれぞれ回転を付与するための複数個の加圧部材と、上記加圧部材の側に一端部を配置し、他端部は操作部の側に配置するようにして銃本体の側に設けられ、操作部における操作を加圧部材に伝達する連繋部材と、ホップ量を調節するために銃本体の側に設けられた上記操作部と、を具備して構成するという手段を講じたものである。【０００９】  本発明は、複数個のバレルを有する模擬銃を対象とするホップ調節装置である。ホップアップシステムは、前記したように、ＢＢ弾が重力で  落ちようとする力と、ホップで浮き上がろうとする力をつり合わせて、何もせずに発射した時よりもさらに遠くへ、まっすぐに飛ばせること、それにより命中精度を向上させること、つまり飛距離と直進性及び命中率の改良を本来の目的とする。しかし、複数個のバレルから発射される弾丸の場合、弾道の調節により、例えば、弾丸の広がりを調節することも可能である。よって、本発明ではいわゆるホップアップに限定するものではなく、弾道を変えることも目的に含められるものである。【００１０】  本発明のホップ調節装置は、複数個の弾丸にそれぞれ回転を付与するための複数個の加圧部材と、操作部における操作を加圧部材に伝達する連繋部材と、ホップ量を調節する上記操作部とを具備するものである。この内、加圧部材は、各装弾部に装填された弾丸に対して圧力を加えることで、各弾丸にそれぞれ回転を付与するために、通常はバレル一個に付き一個ずつ、合計複数個が用意されている。【００１１】  加圧部材として、弾丸に上向きの回転を与えるために少なくとも複数個のバレルの上部にそれぞれ配置し、装弾部の上部にて弾丸に接触する加圧突部を有するようにすることは本発明において好ましい構成である。この構成はバレルの上部に配置される加圧部材であるから、いわゆるホップアップとしての機能を得るために必要である。【００１２】  連繋部材は、上記加圧部材の側に一端部を配置し、他端部は操作部の側に配置するようにして銃本体の側に設けられ、操作部における操作を加圧部材に伝達する。故に、連繋部材は複数個を用意し、それぞれの一端部を複数個の加圧部材の部位に配置するとともに、それぞれの他端部は銃本体の一箇所にまとめて配置することができる。【００１３】  操作部として、操作量を微調節可能にする微調節手段を備えており、微調節手段として回転式の操作子に設けられた多重らせん形状の係合部と、連携部材の他端部に設けられた上記係合部と係合可能な係合相手部とから成る構成を備えているものは、本発明において好ましいものである。多重らせん形状の係合部と、連携部材の他端部の係合相手部との係合により、操作子を回転する周方向の操作量（入力）が半径方向の調節量（出力）に変換されるので、僅かな加圧力の調節を好適に行なうことができる。【００１４】  上記操作部は、ホップ量を調節するために銃本体の側に設けられる。連繋部材と操作部については、複数個の加圧部��に対応する複数個を具備し、それぞれが独立して操作及び調節可能にされているという構成を取ることができる。つまり、複数個の加圧部材が複数個の操作部によって独立に操作されるための構成である。ということは、連繋部材と操作部については、複数個の加圧部材に対して１個のみを具備すれば、全ての加圧部材を１個の操作部によって操作及び調節可能なるという構成も可能であるということである。【００１５】  連繋部材として、上下方向へ移動可能に設けられ下部にて加圧部材に接するプッシュ部材と、上記プッシュ部材の上部に一端部にて結合され、他端部は操作部に連絡し、両端部間にて軸支された回転可能なレバーとから成る構成を備えているものは本発明において好ましいものである。
【発明の効果】
【００１６】  本発明は以上のように構成され、かつ、作用するものであるから、複数個のバレルを有する模擬銃において複数個の加圧部材と操作部とを連繋部材を用いて結合することで、操作部を一箇所にまとめられ、装弾部に装填された弾丸の弾道調節を容易かつ確実に実施することができるという効果を奏する。また、本発明によれば、複数個のバレルを有する模擬銃においても個々のバレルから発射される弾丸の弾道を調節することが可能になり、弾丸の種類や気温の相違等の条件に応じたホップ調節が可能になるという効果を奏する。
【発明を実施するための最良の形態】
【００１７】  以下図示の実施形態を参照して、本発明をより詳細に説明する。図１は本発明のホップ調節装置を適用した模擬銃の全体図であり、模擬銃は長銃型の複数弾発射型電動ガンＧである。電動ガンＧは３個のバレル１１、１２、１３を有しており、従って、圧縮エア生成部１０は、３個のシリンダー２１、２２、２３から成るシリンダーアセンブリー２０と、３個のピストン３１、３２、３３から成るピストンアセンブリー３０及びピストンアセンブリー３０を駆動する電動機構４０を有して構成されている。【００１８】  バレル後部には装弾アセンブリー５０が設けられ、その下部には着脱式のマガジン５１が装着されている。装弾アセンブリー５０において、３個のバレル１１、１２、１３の後端内部にそれぞれ弾丸Ｂを配置する装弾部１４が設定されており、装弾部１４には弾道調節用のホップ調節装置１５が設けられている（図２）。３個のバレル１１、１２、１３の後端外部は接続パッキング１６が覆っており、接続パッキング１６はゴム等柔軟性素材を用いて形成されたシール性能を有するものから成る。【００１９】  圧縮エア生成部１０は、複数弾発射型電動ガンＧにおいて各バレル１１、１２、１３から弾丸Ｂを発射するために各弾丸Ｂに噴射するエアを生成する部分である。バレル自体は３個が正面から見て三角形状となるように組み合わされ、電動ガンＧの内部にあってその後方には圧縮エア生成部１０が配置されている。圧縮エア生成部１０を構成する前記のシリンダーアセンブリー２０、ピストンアセンブリー３０及び電動機構４０は、この順にてほぼ一直線状に配置されている。【００２０】  シリンダーアセンブリー２０は、３個のバレル１１、１２、１３の後部に位置し、エア噴射ノズル２４を先端に有し、内部をピストン３１、３２、３３が往復運動する３個のシリンダー２１、２２、２３を有している。図示のシリンダーアセンブリー２０は、３個のパイプ部材２５と、各パイプ部材２５を先端部にて固定する前部固定部材２６と、各パイプ部材２５を後端部にて固定する後部固定部材２７を有して構成されている（図３、図４参照）。【００２１】  上記エア噴射ノズル２４は前部固定部材２６に設けられており、後部固定部材２７にはピストンの挿入口２５ａが開口している。噴射ノズル２４は、パイプ取り付け部材２５ｂの正面に設けられており、パイプ取り付け部材２５ｂは前部固定部材２６の後面に止め具２５ｃにて取り付けられている。上記パイプ取り付け部材２５ｂは、パイプ部材２５の内部に嵌め合わされる位置関係にて、シール手段２６ａを用いて気密に組み立てられている（図４）。【００２２】  図示の実施形態に示されているように、装弾部１４とエア噴射ノズル２４にはインターノズル２８が接続され、ノズルベース２９により前後方向へ移動可能に設けられている。インターノズル２８は噴射ノズル２４に対して気密的に摺動し、圧縮エア生成部１０にて生成された圧縮エアを弾丸に噴射する位置にある。インターノズル２８は、ノズルベース２９の立ち上がり部２９ａに取り付けられ、模擬銃Ｇの本体に前進後退可能に組みこまれている。【００２３】  従って、インターノズル２８は、後述するピストン３１、３２、３３の後退動作に伴って、後述す���ラッチ部材４９との係合により後退し、ノズルベース２９に作用する付勢手段２９ｂのバネにより前進する（図２参照）。そして、その先端は接続パッキング１６に対しても気密的に摺動し、接続パッキング１６から離れて、弾丸Ｂがバレル後端部に押し上げられる隙間を開けるために後退し、その後、弾丸Ｂを装弾部１４に押し込むために前進するように構成されている。【００２４】  上記エア噴射ノズル２４は、３個のシリンダー２１、２２、２３の各パイプ部材２５、２５、２５の中心に寄った位置に設けられている。これは図示の例における複数個のバレル１１、１２、１３が３個であるために、バレルよりも大径となるシリンダーパイプの中心と合わせることができないために取られた対策である。よって、エア噴射ノズル２４の位置は、バレルとシリンダーパイプの中心の位置との関係から決められる。【００２５】  上記ピストンアセンブリー３０は、各シリンダー２１、２２、２３の内部を往復運動して圧縮エアを生成する３個のピストン３１、３２、３３を有している。また、これら３個のピストン３１、３２、３３は、後方の結合部３４にて一か所にまとめられ、また、往復運動方向に沿ったラック３６を有する１個のピストン軸３５を結合部と一体に設けて構成されている（図５参照）。【００２６】  ３個のピストン３１、３２、３３は、結合部３４に融通性をもって結合され、それによりピストン３１、３２、３３とシリンダー内壁面との間のシール性能が維持されるように構成されている。つまり、ピストンシリンダー機構を構成するピストンとシリンダーは、それらの位置関係又は嵌合の精度の高い方が高圧縮率を得易く、それにはそれぞれの軸芯も高精度で一致していなければならない。しかし、或る程度の融通性を持たせることによって、過度の精度を必要とせずに、高い圧縮率を得ることができる。【００２７】  上記の融通性を与えるため、本発明ではピストン３１、３２、３３を細長いロッド３７の先端に設けるとともに、ロッド３７の後方の結合部３４にて可動的に軸止するという構成を取っている。図示の実施形態では、ピストン往復運動方向に対してロッド３７を左右方向の支軸３７ａを用いて軸止し、ロッド３７が上下方向へ可動であるように構成されている。なお、ピストン３１、３２、３３には、図示されたＯ−リングをシール部材３８として用いて気密を維持している。【００２８】  ピストンシリンダー機構が三組から成る実施形態では、前記したようにピストンアセンブリー３０は正面から見て三組が三角形状に組み合わされ、その三組の中心部よりも下方にずれた位置関係をもって結合部３４にピストン軸３５が配置されており、下方にずれた部分の上部にラック３６が位置するように構成されている。このため、ラック３６の位置が三組の中心部に近くなり、電動機構４０の出力ギヤ４１の配置空間３９を稼ぐことができるとともに、出力ギヤ４１による駆動力も、中心線上に近い位置から、より効率的に伝達されるようになる。【００２９】  上記電動機構４０はピストンアセンブリー３０を後退させるとともに弾性部材４２を蓄圧し、蓄圧の解放によりエアを圧縮するために、ラック３６と噛合う出力ギヤ４１を駆動するように構成されている。詳細な図６を参���して説明すると、４３は電動機即ちモーター、４４はその回転軸に取り付けたピニオン、４５はそれと噛合う数段のギヤから成る減速歯車組を示しており出力ギヤ４１はセクターギヤから成る。セクターギヤ４１はラック３６と噛み合ってピストンアセンブリー３０を後退させる有歯部４１ａと、噛み合わずにピストンアセンブリー３０を前進可能にする無歯部４１ｂとを有している。【００３０】  ピストン軸３５は中空構造を有し、中空内部にコイルばねとして示された弾性部材４２によって前進方向へ付勢されている。上記コイルばねから成る弾性部材４２は一端がピストン軸中空内部の前端に接し、他端は電動機構４０内部に設けられているピストンの移動部４６である空所の後端にて支えられる。４７は凹凸構造から成るガイド部であり、ピストン軸３５の側面長手方向に設けられ、銃本体側に設けられた凹凸構造から成る係合相手の突部４６ａと係合し、直進のガイドとして機能する（図６参照）。【００３１】  実施形態の複数弾発射型電動ガンＧには、上記の他、図示しない電源電池や電源電池と電動機４３を結ぶ回路、電源のオンオフのためのスイッチ等、電動ガンとして作動上必要な機構が備わっているものとする。なお、符号１８はスイッチ、１９は３個のバレルを収めたアウターバレル、４８は発射モード選択のためのセレクター、４９は前に触れたラッチ部材を示す。ラッチ部材４９はノズルベース２９の後端に上下可能な係合手段として支軸２９ａにより軸止されており、ピストン軸３５に設けられている係合相手部４９ａとの係合により後退可能であり、かつ、銃本体側に設けられている、解除部４９ｂとの接触により上記係合を解除可能に構成されている。４９ｃはバネを示しており、ラッチ部材４９を係合相手部４９ａとの係合方向へ付勢する手段である（図２参照）。なお、ノズルベース２９には前方への付勢手段としてバネ２９ｂが作用しており、供給された弾丸Ｂを装弾部１４へ押し出すように構成されている。【００３２】  本発明の模擬銃におけるホップ調節装置１５は、アセンブリーとしてはバレル後部に位置する装弾アセンブリー５０の一部に設けられている（図２参照）。下部には着脱式のマガジン５１が装着されており、その給弾口に接続する供給路５１ａを通じて、弾丸Ｂは１発ずつ上方に押し上げられ、弾丸供給部５３に供給される。弾丸供給部５３は、装弾アセンブリー５０の後端に位置しており、供給された弾丸Ｂを受け止める受け部材５４を内部に有する。受け部材５４は上部中央１か所と下部左右２か所の計３箇所の受け部５５を有しており、付勢手段であるバネ５６により下方へ押されている（図７参照）。【００３３】  弾丸供給部５３は３か所の開口５７によって前後に貫通しており、各開口５７にはインターノズル２８の先端部が入り込める。すなわち、３か所の開口５７は３個のバレル後端内部にそれぞれ位置する装弾部１４及び３か所の受け部５５と、配置が完全に一致するように設定されている。従って、インターノズル２８の前進により、３か所の受け部５５に押し上げられた、弾丸Ｂを３個のバレル１１、１２、１３の後部の装弾部１４に送り込むことができるように構成されている。【００３４】  ３個のバレル１１、１２、１３の後端に位置する、装弾アセンブリー５０は、図示の例では上下２部材から成るカバー５８Ａ、５８Ｂを有している。また、カバー５８Ａ、５８Ｂと弾丸供給部５３とはネジとして示した止め具５９により一体に組み立てられている。カバー５８Ａ、５８Ｂの後端部は、図７ないし図９等にも示されているように３個のバレル１１、１２、１３の後端部とほぼ一致しており、それらのバレル１１、１２、１３の後端部には、装弾部１４を取り囲む装弾部覆い６０が設けられている。【００３５】  装弾部覆い６０は３個の円筒を束ねたような外観を有し、後端は前記の受け部材５４を介して弾丸供給部５３に面する開口６０ａ、６０ｂ、６０ｃになっている。６０ｄは整流部であり、弾丸Ｂが目的の装弾部１４に誘導されるように設けている。各円筒の内部は３個のバレル１１、１２、１３が占めており、従って、この部分（装填部１４）にホップ調節のための装置が設けられている。図示の実施形態におけるホップ調節は弾丸に上向きの回転を与えるもので、各バレル１１、１２、１３の上部に加圧部材６１、６２、６３がそれぞれ配置されている（図９Ｂ）。【００３６】  加圧部材６１、６２、６３はホップパッキンと呼ぶこともある、弾力性材料から成る円筒形状のもので、それぞれの一部（図例では上部）に弾丸Ｂに接触する加圧突部６１ａ、６２ａ、６３ａが設けられている（図７Ａ、図９Ｂ等参照）。実施形態は、連繋部材と操作部は、複数個の加圧部材に対応する複数個を具備し、それぞれが独立して操作及び調節可能に構成されている例である。従って、操作部６７、６８、６９における操作を加圧部材６１、６２、６３に伝達するために、加圧部材６１、６２、６３の側に一端部を配置し、他端部は操作部６７、６８、６９の側に配置するようにして連繋部材６４、６５、６６が銃本体の側に設けられている。【００３７】  ３個の加圧部材６１、６２、６３は３個のバレル１１、１２、１３と同じく上部中央１か所と下部左右２か所の計３箇所にあり、操作部６７、６８、６９は銃本体の片面（図示の例では右側）にまとめられている。これらを連絡するために連繋部材６４、６５、６６が設けられている。連繋部材６４、６５、６６は、上下方向へ移動可能に設けられた下部にて加圧部材６１、６２、６３に接するプッシュ部材７１、７２、７３と、上記プッシュ部材７１、７２、７３の上部に一端部にて結合され、他端部は操作部６７、６８、６９に連絡するレバー７４、７５、７６とから成る。レバー７４、７５、７６は軸７４ａ、７５ａ、７６ａにより後述の如く軸支されている（図１２Ｃ、図１４Ｃ、図１６Ｃ等参照）。【００３８】  上記プッシュ部材７１、７２、７３は、装弾部覆い６０に形成された上下方向のガイド孔７１ａ、７２ａ、７３ａに挿入され、上下方向にのみ可動の構成である。一方、レバー７４、７５、７６は、一端部と他端部との間にて軸７４ａ、７５ａ、７６ａを中心に回転可能に取り付けられた梃子のような構成である。梃子として見る場合、作用点側よりも力点側のモーメントアームの方が短い構成である。それ故、レバー７４、７５、７６においてもモーメントアームの入力量よりも出力量の方が大きく、ダイヤル７７、７８、７９による微小調節量を増幅する構成である。プッシ���部材７１、７２、７３は下端に円弧状の凹部７１ｂ、７２ｂ、７３ｂを有する。この凹部７１ｂ、７２ｂ、７３ｂは、弾詰まりを防止するために弾丸Ｂに逃げ道を与える手段として設けられている。【００３９】  また、操作部６７、６８、６９は操作量を微調節可能にするために微調節手段７０を備えて構成されている。実施形態における微調節手段７０は、回転式の操作子に設けられた多重らせん形状の係合部６７ａ、６８ａ、６９ａと、連携部材６４、６５、６６の他端部に設けられた上記係合部と係合可能な係合相手部６４ａ、６５ａ、６６ａとから成る構成を備えている（図１１Ａ参照）。よって、操作子の１回転で多重らせん形状の半径方向成分だけの微小移動量であり、その微小移動量がさらにレバー７４、７５、７６を介して加圧部材６１、６２、６３に伝えられるので、ホップ調節を正確に制御することができる。操作子はダイヤル７７、７８、７９から成り、操作量を示すマーク７７ａ、７８ａ、７９ａが上向きに設けられている（図１１Ｂ参照）。【００４０】  このように構成されている本発明の模擬銃におけるホップ調節装置は以下のように作用する。図１２は、上バレル１１においてホップ調節に関与する構成を示しており、調整操作前の状態である。上バレル１１の加圧部材６１には、プッシュ部材７１、レバー７４、ダイヤル７７が対応する。ダイヤル７７を操作すると係合部６７ａと係合相手部６４ａの係合に応じて連繋部材６４が動作し、プッシュ部材７１に加圧突部６１ａが押されて装弾部１４内に突出し、或いは突出量が変化する（図１３Ｂ）。突出量の変化はホップ調節量の大小に対応し、調節量はマーク７７ａによって示される（図１３Ａ）。【００４１】  図１４は、左バレル１２においてホップ調節に関与する構成を示しており、上バレルと同様に調整操作前の状態を示す。左バレル１２の加圧部材６２には、プッシュ部材７２、レバー７５、ダイヤル７８が対応する。ダイヤル７８を操作すると係合部６８ａと係合相手部６５ａの係合に応じて連繋部材６５が動作し、プッシュ部材７２に加圧突部６２ａが押されて装弾部１４内に突出し、或いは突出量が変化する（図１５Ｂ）。突出量の変化はホップ調節量の大小に対応し、調節量はマーク７８ａによって示される（図１５Ａ）。【００４２】  同様に、図１６は、右バレル１３においてホップ調節に関与する構成を示しており、上バレルと同様に調整操作前の状態を示す。右バレル１３の加圧部材６３には、プッシュ部材７３、レバー７６、ダイヤル７９が対応する。ダイヤル７９を操作すると係合部６９ａと係合相手部６６ａの係合に応じて連繋部材６６が動作し、プッシュ部材７３に加圧突部６３ａが押されて装弾部１４内に突出し、或いは突出量が変化する（図１７Ｂ）。突出量の変化はホップ調節量の大小に対応し、調節量はマーク７９ａによって示される（図１７Ａ）。【００４３】  なお、本発明のホップ調節装置を適用した模擬銃である電動ガンＧは、トリガー１７を引くことでスイッチ１８がオンとなり、オン動作により駆動回路が閉成し、電動機構４０が起動することでピストン３１、３２、３３が後退を開始する。次いで、ラッチ部材４９と係合相手部４９ａが係合し、解除部４９ｂにより係合が解除され、ノズルベース２９が後退、前進するまでの間に次弾の装填がなされる。ピストン３１、３２、３３が後退限界付近に達することに伴って、電動機構４０のセクターギヤ４１が有歯部４１ａから無歯部４１ｂに回転し、ラック３６との噛合いから外れる。その結果、弾性部材４２の蓄圧が解除され、ピストン３１、３２、３３が前進限界まで瞬間的に移動し、シリンダー内部のエアが圧縮され、圧縮エアとして噴射ノズル２４から噴射され、３個のバレル１１、１２、１３から各１発ずつ計３個の弾丸Ｂが発射される。
【図面の簡単な説明】
【００４４】
【図１】本発明に係るホップ調節装置を適用した模擬銃の一例を示す側面説明図である。
【図２】同じくホップ調節装置を適用した模擬銃の要部を拡大して示す断面説明図である。
【図３】同じく模擬銃に用いるシリンダーアセンブリーとピストンアセンブリーを分解して示す斜視図である。
【図４】同じく模擬銃に用いるシリンダーアセンブリーを示すもので、Ａは側面図、Ｂは中央縦断面図である。
【図５】同じくピストンアセンブリーを示す側面図である。
【図６】同じく電動機構を示す説明図である。
【図７】本発明に係るホップ調節装置を組み込んだ装弾アセンブリーを示すもので、Ａは中央縦断面図、Ｂは弾丸供給部の部材を外した装弾アセンブリーの後面図、Ｃは装弾アセンブリーの後面図である。
【図８】同じく装弾アセンブリーを分解して示す斜視図である。
【図９】バレル後端部を示すもので、Ａは斜視図、Ｂは端面図である。
【図１０】同じくバレル後端部を示すもので、Ａは上面図、Ｂは左側面図、Ｃは中央縦断面である。
【図１１】同じく本発明に係るホップ調節装置を示すもので、Ａは微調節機構を模式的に示した右側面図、Ｂは同装置の外観図である。
【図１２】上部バレルについて本発明に係るホップ調節装置の未調節時の状態を示すもので、Ａは上面図、Ｂは中央縦断面図、Ｃは横断面図である。
【図１３】上部バレルについて本発明に係るホップ調節装置の調節時の状態を示すもので、Ａは右側面図、Ｂは中央縦断面図、Ｃは横断面図である。
【図１４】下部左バレルについて本発明に係るホップ調節装置の未調節時の状態を示すもので、Ａは上面図、Ｂは中央縦断面図、Ｃは横断面図である。
【図１５】下部左バレルについて本発明に係るホップ調節装置の調節時の状態を示すもので、Ａは右側面図、Ｂは中央縦断面図、Ｃは横断面図である。
【図１６】下部右バレルについて本発明に係るホップ調節装置の未調節時の状態を示すもので、Ａは上面図、Ｂは中央縦断面図、Ｃは横断面図である。
【図１７】下部右バレルについて本発明に係るホップ調節装置の調節時の状態を示すもので、Ａは右側面図、Ｂは中央縦断面図、Ｃは横断面図である。
【符号の説明】
【００４５】  １０  圧縮エア生成部  １１、１２、１３  バレル  １４  装弾部  １５  ホップ調節装置  １６  接続パッキング  １７  トリガー  １８  スイッチ  １９  アウターバレル  ２０  シリンダーアセンブリー  ２１、２２、２３  シリンダー  ２４  噴射ノズル  ２５  パイプ部材  ２６  前部固定部材  ２７  後部固定部材  ２８  インターノズル  ２９  ノズルベース  ３０  ピストンアセンブリー  ３１、３２、３３  ピストン  ３４  結合部  ３５  ピストン軸  ３６  ラック  ３７  ロッド  ３８  シール部材  ３９  ギヤ配置空間  ４０  電動機構  ４１  出力ギヤ  ４２  弾性部材  ４３  電動機  ４４  ピニオン  ４５  減速歯車組  ４６  ピストン移動部  ４７  ガイド溝  ４８  セレクター  ４９  ラッチ部材  ５０  装弾アセンブリー  ５１  マガジン  ５３  弾丸供給部  ５４  受け部材  ５５  切り替え機構  ５７  開口  ５８Ａ、５８Ｂ  カバー  ６０  装弾部覆い  ６１、６２、６３  加圧部材  ６４、６５、６６  連繋部材  ６７、６８、６９  操作部  ７０  微調節手段  ７１、７２、７３  プッシュ部材  ７４、７５、７６  レバー  ７７、７８、７９  ダイヤル
【図１】
2016151765.tif 000003
【図２】
2016151765.tif 000004
【図３】
2016151765.tif 000005
【図４】
2016151765.tif 000006
【図５】
2016151765.tif 000007
【図６】
2016151765.tif 000008
【図７】
2016151765.tif 000009
【図８】
2016151765.tif 000010
【図９】
2016151765.tif 000011
【図１０】
2016151765.tif 000012
【図１１】
2016151765.tif 000013
【図１２】
2016151765.tif 000014
【図１３】
2016151765.tif 000015
【図１４】
2016151765.tif 000016
【図１５】
2016151765.tif 000017
【図１６】
2016151765.tif 000018
【図１７】
2016151765.tif 000019
【国際調査報告】
2016151765.tif 000020
2016151765.tif 000021
2016151765.tif 000022
2016151765.tif 000023